(57)【要約】      （修正有）【課題】簡便且つ安価な構成で、外部からの気体の流入を防止しつつ袋体の内部で発生したガスを外部に排出することができる袋体を提供する。【解決手段】全面にわたって貫通孔８が複数、形成された内側フィルム２と、外側フィルム４との間にストライプ状に配置され、複数の接着剤層６とを備えた複合シートによって少なくとも一部分が構成された袋体であって、非接着部１２を有し、貫通孔８と非接着部１２によって前記袋体の内部から外部に連通する複数の通気路が形成され、下記式（１）、および（２）が充足されている袋体。１≦（ｎ＊Ｗ＊ｄ／１０００）≦２５式（１）、１０≦Ｌ／（Ｗ＊ｄ／１０００）≦２００式（２）、（ここで、ｎは袋体容積１０００ｍＬ当たりの通気路の総数、Ｗは非接合部の幅(単位:ｍｍ)、ｄは接着剤層の厚さ(単位:μｍ)、Ｌは通気路の長さ(単位:ｍｍ)である。）【選択図】図１
2018193072.tif 000002
【特許請求の範囲】
【請求項１】
全面にわたって貫通孔が複数、形成された内側フィルムと、外側フィルムと、前記内側フィルムと外側フィルムとの間にストライプ状に配置され前記内側フィルムと外側フィルムとを接合する複数の接着剤層とを備えた複合シートによって少なくとも一部分が構成された袋体であって、
隣接する前記接着剤層間に配置され前記複合シートの全体にわたってストライプ状に延び前記貫通孔と流体連通した非接着部を有し、
前記貫通孔と非接着部によって前記袋体の内部から外部に連通する複数の通気路が形成され、
下記式（１）、および（２）が充足されている、
１≦（ｎ＊Ｗ＊ｄ／１０００）≦２５・・・・・式（１）
１０≦Ｌ／（Ｗ＊ｄ／１０００）≦２００・・・式（２）
（ここで、
ｎは袋体容積１０００ｍＬ当たりの通気路の総数、
Ｗは非接合部の幅(単位:ｍｍ)
ｄは接着剤層の厚さ(単位:μｍ)、
Ｌは通気路の長さ(単位:ｍｍ)である）
ことを特徴とする袋体。
【請求項２】
前記接着剤層の厚さｄが、５μｍ以上、３０μｍ以下である、
請求項１に記載の袋体。
【請求項３】
前記内側フィルムと外側フィルムの少なくとも一方が酸素バリアフィルムである、
請求項１または２に記載の袋体。
【請求項４】
前記外側フィルムの全面にわたって貫通孔が複数、形成されている、
請求項１ないし３のいずれか１項に記載の袋体。
【発明の詳細な説明】
【技術分野】
【０００１】
本発明は、袋体に関し、詳細には、保存中に気体を発生させる食品、特にコーヒーの保存に適した袋体に関する。
【背景技術】
【０００２】
保存中に、呼吸や発酵によって二酸化炭素、水蒸気等のガスを発生させる食物等の材料を、鮮度を維持しつつ保存することができる袋体の必要性が広く認識されている。この目的のため、袋体には、発生した二酸化炭素や水蒸気の排出と、外部からの酸素の流入の防止という二つの相反する機能が要求される。二酸化炭素や水蒸気の排出が不充分だと内圧が上昇して、袋体が破損する場合があり、また外部からの酸素の流入を防止しないと内容物が酸化し鮮度が低下するからである。
【０００３】
この相反する要求を満たすため、例えば、特許文献１に記載されているよう、袋体に逆止弁を取り付け、この弁によって食品から発生するガスを排出する方法が知られている。しかしながら、この方法は逆止弁の構造が複雑でコストがかかるという欠点があった。
【先行技術文献】
【特許文献】
【０００４】
【特許文献１】特開平８−３２４５８４号公報
【発明の概要】
【発明が解決しようとする課題】
【０００５】
本発明は、このような問題を解決するためになされたものであり、簡便且つ安価な構成で、外部からの気体の流入を防止しつつ袋体の内部で発生したガスを外部に排出することができる袋体を提供することを目的とする。
【課題を解決するための手段】
【０００６】
本発明によれば、
全面にわたって貫通孔が複数、形成された内側フィルムと、外側フィルムと、前記内側フィルムと外側フィルムとの間にストライプ状に配置され前記内側フィルムと外側フィルムとを接合する複数の接着剤層とを備えた複合シートによって少なくとも一部分が構成された袋体であって、
隣接する前記接着剤層間に配置され前記複合シートの全体にわたってストライプ状に延び前記貫通孔と流体連通する非接着部を有し、
前記貫通孔と非接着部によって前記袋体の内部から外部に連通する複数の通気路が形成され、
下記式（１）、および（２）が充足されている、
１≦（ｎ＊Ｗ＊ｄ／１０００）≦２５・・・・・式（１）
１０≦Ｌ／（Ｗ＊ｄ／１０００）≦２００・・・式（２）
（ここで、
ｎは袋体容積１０００ｍＬ当たりの通気路の総数、
Ｗは非接合部の幅(単位:ｍｍ)
ｄは接着剤層の厚さ(単位:μｍ)、
Ｌは通気路の長さ(単位:ｍｍ)である）
ことを特徴とする袋体が提供される。
【０００７】
このような構成を有する本願発明によれば、外部からの気体の侵入を抑制しつつ、袋体内で発生したガスを効率良く外部に排出することができ、袋体内部の食品等の材料を劣化させることなく、長期間にわたり保存することが可能となる。
【０００８】
本発明の他の好ましい態様によれば、
前記接着剤層の厚さｄが、５μｍ以上、３０μｍ以下である。
【０００９】
本発明の他の好ましい態様によれば、
前記内側フィルムと外側フィルムの少なくとも一方が酸素バリアフィルムである。
【００１０】
このような構成によれば、外部からの酸素の侵入をより効果的に抑制することができる。
【００１１】
本発明の他の好ましい態様によれば、
前記外側フィルムの全面にわたって貫通孔が複数、形成されている。
【図面の簡単な説明】
【００１２】
【図１】本発明の好ましい実施態様の袋体に使用される複合シートの一部分を示す模式的な平面図である。
【図２】（ａ）は図１のａ−ａ線に沿った模式的な断面図であり、（ｂ）は図１のｂ−ｂ線に沿った模式的な断面図であり、（ｃ）は図１のｃ−ｃ線に沿った模式的な断面図である。
【図３】図１の複合シート1で構成された袋体の平面図である。
【図４】図３のｄ−ｄ線に沿った断面図である。
【図５】本発明の他の実施態様の袋体に使用される複合シート３０の一部分を示す模式的な平面図である。
【図６】（ａ）は図５のａ−ａ線に沿った模式的な断面図であり、（ｂ）は図５のｂ−ｂ線に沿った模式的な断面図であり、（ｃ）は図５のｃ−ｃ線に沿った模式的な断面図である。
【図７】本発明の他の実施態様の袋体の断面図である。
【図８】本発明の他の実施態様の袋体の断面図である。
【発明を実施するための形態】
【００１３】
以下、図面に沿って、本発明の好ましい実施形態の説明をする。図１および図２は、本発明の好ましい実施態様の袋体に使用される複合シート1を示す図面である。
【００１４】
図１は複合シート１の一部分を示す模式的な平面図である。図２（ａ）は、図１のａ−ａ線に沿った模式的な断面図であり、図２（ｂ）は、図１のｂ−ｂ線に沿った模式的な断面図であり、図２（ｃ）は、図１のｃ−ｃ線に沿った模式的な断面図である。
【００１５】
図１および図２に示されているように、複合シート１は、内側フィルム２と外側フィルム4とによる積層構造を有している。本実施態様の複合シート１では、内側フィルム２と外側フィルム４とは、内側フィルム２と外側フィルム４との間にストライプ状に配置された接着剤層６によって接合されている。
【００１６】
内側フィルム２を構成する材料としては、ポリエチレン、ポリプロピレン、ポリスチレン、ポリエステル、ポリアミド、塩化ビニル等が挙げられる。
【００１７】
内側フィルム２として酸素バリアフィルムを用いてもよい。酸素バリアフィルムとしては、ビニルアルコールまたは塩化ビニリデンを構成成分として含むポリマーからなるフィルム、シリカ、アルミナ、アルミニウムのいずれかを蒸着したポリマーフィルムなどがある。さらに、内側フィルムの材料として、アルミニウム等の金属箔を用いることもできる。
【００１８】
内側フィルム２には、上記フィルムを単層で用いてもよいし、２枚以上積層して用いてもよい。
積層された、内側フィルムの例としてはポリエチレン／バリアシート、ポリエチレン／金属シート、ポリエチレン／ポリエステル、バリアシート／ポリエチレン、バリアシート／ポリエステル、金属シート／ポリエチレン、金属シート／ポリエステル、ポリエチレン／バリアシート／ポリエチレン、ポリエチレン／金属シート／ポリエチレン、ポリエチレン／バリアシート／ポリエステル、ポリエチレン／金属シート／ポリエステルなどがある。以上の表記では右端の材料が複合シートの裏面となる。
【００１９】
内側フィルム２の厚みは、１０μｍ以上、４００μｍ以下程度が好ましい。厚みが１０μｍ未満の場合、強度が不充分になる場合があり、４００μｍを超えるとコスト上不利になる場合がある。
【００２０】
内側フィルム２には、その全面にわたり、多数の貫通孔８が設けられている。貫通孔８の形状には特に制限はなく、円形、楕円形、細長い即ちアスペクト比が大きな形状、例えば、スロット形状などとすることができる。貫通孔のサイズ（直径あるいは差し渡し）は０．２ｍｍ〜５ｍｍ程度が好ましい。貫通孔８は、例えば、レーザーで穿孔されたモノでも良いが、他の方法で穿孔されたものでもよい。貫通孔8の密度は、内側フィルム２の１００平方センチメートル当たり、１０ないし２０,０００程度が好ましい。
【００２１】
外側フィルム４を構成する材料としては、ポリエステル、ポリプロピレン、ポリエチレン、ポリスチレン、ナイロン、塩化ビニルなどが挙げられる。外側フィルム４の材料として酸素バリアフィルムを用いることもできる。酸素バリアフィルムの種類としては、内側フィルム２と同様のものが挙げられる。さらに、内側フィルム２と同様に、外側フィルムにも、アルミニウム等の金属箔を用いることもできる。
【００２２】
外側フィルム４には、上記フィルムを単層で用いてもよいし、２枚以上積層して用いてもよい。
積層された外側フィルムの例としてはポリエステル／ポリエチレン、ポリエステル／バリアフィルム、ポリエステル／金属箔、ポリエステル／ポリエチレン／ポリエチレン、ポリエステル／バリアフィルム／ポリエチレン、ポリエステル／金属箔／ポリエチレン、バリアフィルム／ポリエチレン、金属箔／ポリエチレンなどがある。ただし、以上の表記では右端の材料が複合シートの裏面となる。
【００２３】
外側フィルム４の厚さは、１０μｍ以上３００μｍ以下程度が好ましい。厚さが１０μｍ未満の場合、強度が不充分になる場合があり、３００μｍを超えるとコスト上不利になる場合がある。
【００２４】
本実施態様の複合シート1は、内側フィルム２と外側フィルムとの間にストライプ状に配置され内側フィルム２と外側フィルム４とを接合する接着剤層６を、さらに、備えている（図２（ａ））。
隣接する接着剤層６、６の間は、細長い空間（非接着部１２）となり（図２（ｃ））、この非接着部１２が、接着剤層６と交互にストライプ状に配置されている。この結果、内側フィルム２に形成された貫通孔８の少なくとも一部分は、複合シート1の厚さ方向において、非接着部１２と整列し、非接着部１２の内部空間と流体連通することになる（図２（ｂ））。
【００２５】
接着剤層６を構成する接着剤の種類は特に制限はなく、ポリエステル系やポリエーテル系などの公知の接着剤を用いることができる。
接着部の幅には特に制約はないが、１ｍｍ〜１０ｍｍ程度が好ましい。
接着剤層６の厚みは、５μｍ〜３０μｍ、より好ましくは７μｍ〜２０μｍの範囲である。接着剤層の厚みを５μｍ以上とすることで、接合部の強度を確保できる。また、接着剤層の厚みを３０μｍ以下とすることで、非接合部１２の幅を制御しやすくなる。
【００２６】
非接着部１２の幅Ｗ(ｍｍ)は、０．２ｍｍ〜３ｍｍ、より好ましくは０．５〜２ｍｍが好ましい。非接着部１２の幅を０．２ｍｍ以上とすることで、袋体を構成したとき、内部の二酸化炭素を効率よく排気できる。また、非接着部の幅を３ｍｍ以下にすることで、袋体を構成したとき、袋体内部への酸素の浸入を抑制できる。
【００２７】
内側フィルム２と外側フィルム４との接合は、接着剤を用いたドライラミネーションで行われるのが好ましい。
【００２８】
本実施態様の複合シート１における、内側フィルムと外側フィルムの組み合わせの例として以下のようなものを挙げることができる。
・（袋体内側）ポリエチレン／アルミ箔／ポリエチレンの内側フィルム２と、ポリエチレンテレフタレートの外側フィルム４との組み合わせ。
・（袋体内側）ポリエチレン／シリカ蒸着ポリエチレンテレフタレート／ポリエチレンの内側フィルム２と、ポリエチレンテレフタレートの外側フィルム４との組み合わせ。
・ポリエチレンの内側フィルム２と、アルミ箔／ポリエチレンテレフタレート（袋体外側）の外側フィルム４との組み合わせ。
・ポリエチレンの内側フィルム２と、シリカ蒸着ポリエチレンテレフタレート／ポリエチレンテレフタレート（袋体外側）の外側フィルム４との組み合わせ。
【００２９】
図３は、上記複合シート1で構成された袋体２０の平面図であり、図４は図３のｄ−ｄ線に沿った断面図である。
【００３０】
袋体２０は、上記複合シート１を矩形状に切断し、側端同士を重ねて筒状にし、複合シート１の上下端部をシールしてトップシール部２２とし、複合シート１の左右の端を重ねてシールすることによりセンターシール部２４とすることによって形成されている。
袋体２０の容量は、０．５ないし５．０リットル程度が好ましく、本実施態様では、１．０リットル程度である。
【００３１】
なお、複合シート１を矩形に切断することによって、複合シート１の内側フィルム２と外側フィルム４の間に形成された非接着部１２は、切断された矩形の複合シート１の端部で外方に開放した状態となり、その結果、非接着部１２は複合シート１の外側の空間と流体連通することなる。
【００３２】
袋体２０では、図４に模式的に示すように、センターシール部２４で上側（外方側）に配置された複合シート１の端では、非接着部１２が袋体２０の外部に開放している。その結果、非接着部１２と整列して非接着部１２と連通した貫通孔８を介して、袋体２０内の空間が、袋体２０の外部と流体連通することになる。即ち、非接着部１２と整列した貫通孔８と非接着部１２とによって、袋体２０の内部から外部に至る通気路が形成されることになる。
【００３３】
そして、本実施態様の袋体２０は、以下の式（１）、（２）が満たされるように構成されている。
１≦（ｎ＊Ｗ＊ｄ／１０００）≦２５      （１）
１０≦Ｌ／（Ｗ＊ｄ／１０００）≦２００    （２）
【００３４】
（ここで、ｎは袋体容積１０００ｍＬ当たりの通気路の総数、Ｗは非接合部の幅(単位:ｍｍ)、ｄは接着剤層の厚さ(単位:μｍ)、Ｌは通気路の長さ(単位:ｍｍ)である。
本実施態様では、ｎは、１００ないし２，５００個程度に設定されている。また、通気路の長さであるＬは、通気路を構成する非接着部１２の（外気への）開口端から、この非接着部１２と流体連通する貫通孔のなかで最も前記開口端側に位置する貫通孔までの距離を、通気口毎に計測し、その平均値である。
【００３５】
（ｎ＊Ｗ＊ｄ／１０００）の値は、４以上１６以下がより好ましい。
【００３６】
（ｎ＊Ｗ＊ｄ／１０００）の値を１以上とすることで内容物から発生する二酸化炭素を効率よく排出することができる。またこの値を２５以下とすることで袋体内部への酸素の浸入を抑制できる。
【００３７】
Ｌ／（Ｗ＊ｄ／１０００）の値は１０以上２００以下であるが、２０以上、１５０以下がより好ましい。
【００３８】
Ｌ／（Ｗ＊ｄ／１０００）の値を１０以上とすることで袋体内部への酸素の浸入を抑制できる。またこの値を２００以下とすることで内容物から発生する二酸化炭素を効率よく排出することができる。
【００３９】
次に、本発明の他の実施形態の説明をする。図５および図６は、本発明の他の実施態様の袋体に使用される複合シート３０を示す図面である。
【００４０】
図５は複合シート３０の一部分を示す模式的な平面図である。図６（ａ）は、図５のａ−ａ線に沿った模式的な断面図であり、図６（ｂ）は、図５のｂ−ｂ線に沿った模式的な断面図であり、図６（ｃ）は、図５のｃ−ｃ線に沿った模式的な断面図である。
【００４１】
本実施態様の複合シート３０は、内側フィルム３２と外側フィルム３４との間にストライプ状に配置され内側フィルム３２と外側フィルム３４とを接合する接着剤層３６を備えている（図６（ａ））。
【００４２】
隣接する接着剤層３６、３６の間は、細長い空間（非接着部３８）となり（図６（ｃ））、この非接着部３８が、接着剤層３６と交互にストライプ状に配置されている。この結果、内側フィルム３２に形成された貫通孔４０の一部分は、複合シート３０の厚さ方向において、非接着部３８と整列し、非接着部３８の内部空間と流体連通することになる（図６（ｂ））。
【００４３】
複合シート３０は、さらに、外側フィルム３４にも、貫通孔４０と同様の貫通孔４２が形成されている点で、複合シート１と異なっている。複合シート３０は、他の点では、複合シート１と同一である。
【００４４】
外側フィルム３４に形成された貫通孔４２も、少なくとも一部分が、複合シート３０の厚さ方向において、非接着部３８と整列するので、（図５）、非接着部３８の内部空間と流体連通することになる（図６（ｂ））。
【００４５】
この結果、複合シート３０を用いた袋体４４では、図７に模式的に示すように、非接着部３８が、複合シート３０の端部の開放部分に加え、非接着部３８と整列した外側フィルム３４の貫通孔３８を介しても外部と流体連通することになる。
【００４６】
袋体４４も、袋体２０と同様に、以下の式（１）、（２）が満たされるように構成されている。
１≦（ｎ＊Ｗ＊ｄ／１０００）≦２５      （１）
１０≦Ｌ／（Ｗ＊ｄ／１０００）≦２００    （２）
【００４７】
（ここで、ｎは袋体容積１０００ｍＬ当たりの通気路の総数、Ｗは非接合部の幅(単位:ｍｍ)、ｄは接着剤層の厚さ(単位:μｍ)、Ｌは通気路の長さ(単位:ｍｍ)である。
【００４８】
本発明の前記実施形態に限定されることなく、特許請求の範囲に記載された技術的思想の範囲内で種々の変更、変形が可能である。
【００４９】
上記実施態様では、袋体の全体が複合シート１、３０によって構成されていたが、袋体の少なくとも一部、例えば片面を複合シート１、３０によって構成した袋体５０でもよい。即ち、図８に示されているように、一方の側面が上述した複合シート１で構成され、他方の側面が孔部等を備えない通常のシート５２で構成された袋体５０でもよい。
このような袋体５０では、複合シート１の内側フィルム２に設けられた貫通孔８、および複合シート１内の非接着部１２を介して、袋体５０の内部空間が、袋体５０の外部と流体連通することになる。即ち、非接着部１２と整列した貫通孔８と非接着部１２とによって、袋体２０の内部から外部に至る通気路が形成されることになる。
【符号の説明】
【００５０】
１、３０：複合シート
２、３２：内側フィルム
４、３４：外側フィルム
６、３６：接着剤層
８、４０、４２：貫通孔
１２、３８：非接着部
２０、４４、５０：袋体
【図１】
2018193072.tif 000003
【図２】
2018193072.tif 000004
【図３】
2018193072.tif 000005
【図４】
2018193072.tif 000006
【図５】
2018193072.tif 000007
【図６】
2018193072.tif 000008
【図７】
2018193072.tif 000009
【図８】
2018193072.tif 000010